(57)【要約】【課題】  天井に配置されるフィルタユニットの連結構造体に関し、フィルタユニットの外側にボルトやビスの頭等のような突出物があっても、隣接するフィルタユニットと連結が可能なフィルタユニットの連結構造体を提供することを目的とする。【解決手段】  天井に配置するフィルタユニットの連結構造体であって、隣接する二つのフィルタユニットは互いに隣接する側壁をそれぞれ有しており、一方の側壁の外側又は双方の側壁の外側に突出物を有しており、隣接する二つのフィルタユニットは、双方の側壁の間にスペーサ材を配した状態で、双方の側壁を連結する連結子によって連結しており、前記スペーサ材の厚さが、当該スペーサ材を配せずに双方の側壁を当接させようとした時の双方の側壁間の最短距離以上であるフィルタユニットの連結構造体。【選択図】  図２
2014061507.tif 000002
【特許請求の範囲】
【請求項１】
天井に配置するフィルタユニットの連結構造体であって、
隣接する二つのフィルタユニットは互いに隣接する側壁をそれぞれ有しており、一方の側壁の外側又は双方の側壁の外側に突出物を有しており、
隣接する二つのフィルタユニットは、双方の側壁の間にスペーサ材を配した状態で、双方の側壁を連結する連結子によって連結しており、前記スペーサ材の厚さが、当該スペーサ材を配せずに双方の側壁を当接させようとした時の双方の側壁間の最短距離以上であることを特徴とするフィルタユニットの連結構造体。
【発明の詳細な説明】
【技術分野】
【０００１】
本発明は、工場、電算機室や病院などの天井に配置されるフィルタユニットの連結構造体に関する。
【背景技術】
【０００２】
工場、電算機室や病院などの天井に配置されるフィルタユニットの連結構造体は、図６に示すように、フィルタを備えたフィルタユニットを複数連結した構造体であり、従来より、次のような工程にて製作されていた。まず初めに鉄などの鋼板からなる角板を用意し、この角板の端部を折り曲げ加工して接続部を形成したパネル板を複数製作する。次いでこれらのパネル板を組み合わせ当該接続部で溶接して箱型に形成し、さらに塗装を施して１個のフィルタユニットの外壁を作製する。次いで、必要とされるフィルタエレメントやファンなどを固定する隔壁を外壁の内側に溶接などにより固定して、その後断熱材のマットを外壁の内側と外側に貼り付けて１個のフィルタユニットを製作する。図６では外側の断熱材１７５を斜線で表している。また図６の要部断面図を図７に示す。図７の（Ａ）は図６のＡ部分の拡大断面図であり、（Ｂ）は図６のＢ部分の拡大断面図であり、（Ｃ）は図６のＣ部分の拡大断面図であり、（Ｄ）は図６のＤ部分の拡大断面図である。
【０００３】
次いで設置現場に於いて、複数のフィルタユニットを天井に吊り下げた後に、図７に示すように、各フィルタユニット１１０、１１０’の双方の側壁１２０、１２０’をボルト等の連結子１５０にて連結して連結体を組立てる。次いで室内への噴出し部分の連結部にはコーキング１６０を施して、結露水が室内に垂れ落ちないようにして、フィルタユニットの連結構造体を形成する。
【０００４】
しかし、このようなフィルタユニットは塗装が施されるため製造コストが高くなるという問題があった。また、溶接のため歪みが生じ、フィルタユニットの連結部分に僅かではあるが隙間が発生し、この隙間に結露が生じるという問題もあった。そこで、塗装の必要の無い溶融亜鉛めっき鋼板の使用を検討したが、溶接時に白煙が生じ、作業環境が悪くなるという問題があった。そこで、鋼板同士を溶接せずにボルトやビスによる接合を検討した。しかし、この場合、溶融亜鉛めっき鋼板の外側にボルトやビスの頭が飛び出し、フィルタユニット同士を連結しようとすると、隣接するフィルタユニットのボルトやビスの頭と重なり合い、外壁同士の間に隙間が生じて、結露が発生するという問題があった。
【発明の概要】
【発明が解決しようとする課題】
【０００５】
本発明は、上記問題を解決して、天井に配置されるフィルタユニットの連結構造体に関し、フィルタユニットの外側にボルトやビスの頭等のような突出物があっても、隣接するフィルタユニットと連結が可能なフィルタユニットの連結構造体を提供することを目的とする。
【課題を解決するための手段】
【０００６】
上記課題を解決するため、請求項１に係る発明では、天井に配置するフィルタユニットの連結構造体であって、
隣接する二つのフィルタユニットは互いに隣接する側壁をそれぞれ有しており、一方の側壁の外側又は双方の側壁の外側に突出物を有しており、
隣接する二つのフィルタユニットは、双方の側壁の間にスペーサ材を配した状態で、双方の側壁を連結する連結子によって連結しており、前記スペーサ材の厚さが、当該スペーサ材を配せずに双方の側壁を当接させようとした時の双方の側壁間の最短距離以上であることを特徴とするフィルタユニットの連結構造体をその解決手段とした。
【発明の効果】
【０００７】
本発明によって、天井に配置されるフィルタユニットの連結構造体に関し、フィルタユニットの外側にボルトやビスの頭等のような突出物があっても、隣接するフィルタユニットと連結が可能なフィルタユニットの連結構造体を提供することが可能となった。
【図面の簡単な説明】
【０００８】
【図１】本発明のフィルタユニットの連結構造体の一例を示す全体図であり、（ａ）は連結構造体を上方から見下ろした際の平面図であり、（ｂ）は側面図であり、（ｃ）は立面図であり、（ｄ）は連結構造体を下方から見上げた際の平面図である。
【図２】本発明のフィルタユニットの連結構造体の要部断面図であり、（Ａ）は図１のＡ部分の拡大断面図であり、（Ｂ）は図１のＢ部分の拡大断面図であり、（Ｃ）は図１のＣ部分の拡大断面図であり、（Ｄ）は図１のＤ部分の拡大断面図である。
【図３】本発明のフィルタユニットの連結構造体の組み立てを説明する斜視図である。
【図４】図３の要部を説明する斜視図である。
【図５】本発明のフィルタユニットの連結構造体の別の例を示す全体図であり、（ａ）は平面図であり、（ｂ）は立面図である。
【図６】従来のフィルタユニットの連結構造体を示す全体図であり、（ａ）は連結構造体を上方から見下ろした際の平面図であり、（ｂ）は側面図であり、（ｃ）は立面図であり、（ｄ）は連結構造体を下方から見上げた際の平面図である。
【図７】従来のフィルタユニットの連結構造体の要部断面図であり、（Ａ）は図６のＡ部分の拡大断面図であり、（Ｂ）は図６のＢ部分の拡大断面図であり、（Ｃ）は図６のＣ部分の拡大断面図であり、（Ｄ）は図６のＤ部分の拡大断面図である。
【発明を実施するための形態】
【０００９】
以下、本発明に係るフィルタユニットの連結構造体の実施の形態について詳細に説明する。
【００１０】
本発明のフィルタユニットの連結構造体は図１〜３に例示するように、天井に配置するフィルタユニット１０、１０’の連結構造体であって、隣接する二つのフィルタユニット１０、１０’は互いに隣接する側壁２０、２０’をそれぞれ有しており、一方の側壁２０の外側又は双方の側壁２０、２０’の外側に突出物２５を有しており、隣接する二つのフィルタユニット１０、１０’は、双方の側壁２０、２０’の間にスペーサ材３５を配した状態で、双方の側壁２０、２０’を連結する連結子５０によって連結しており、前記スペーサ材３５の厚さが、当該スペーサ材３５を配せずに双方の側壁２０、２０’を当接させようとした時の双方の側壁間の最短距離以上であることを特徴とする。
【００１１】
図１は本発明のフィルタユニットの連結構造体（以下、単に連結構造体と称することがある。）の一例を示す全体図であり、（ａ）は連結構造体を上方から見下ろした際の平面図であり、（ｂ）は側面図であり、（ｃ）は立面図であり、（ｄ）は連結構造体を下方から見上げた際の平面図である。図１ではフィルタユニット１０の内部にファン１５及びＨＥＰＡフィルタ１７が収納された８個のファンフィルタユニット１１と、ＨＥＰＡフィルタ１７のみが収納された２個のフィルタユニット１２と、２個の無影灯支持部材貫通用ユニット１３とが連結されて連結構造体となっている。無影灯は病院の手術室などで用いられる照明器具であり、無影灯支持部材とは上端部が建築躯体の天井部に固定されており、上部がパイプ状で垂れ下がっており下部が屈折可能なアーム状となっており、下端部に無影灯が固定されている支持部材である。そして、この支持部材のパイプ状部分が貫通する穴を有した無影灯支持部材貫通用パネル１４が当該無影灯支持部材貫通用ユニット１３に取り付けられている。ファンフィルタユニット１１と隣接するフィルタユニット１２とは、それらの通風口２８、２８’同士が連結した連通部を形成しており、ファンフィルタユニット１１で生じた気流がこの連通部を介して隣接するフィルタユニット１２に流れ込むようになっている。また無影灯支持部材貫通用ユニット１３は隣接するファンフィルタユニット１１又はフィルタユニット１２と、連通部を形成することなく連結している。
【００１２】
図１の側面図（ｂ）に示されるように、ファンフィルタユニット１１では、ファン１５によって発生した気流が、拡散室１８で拡散するとともに下方向に向きが変わり、下方に配置されたＨＥＰＡフィルタ１７から室内に供給される構造となっている。またＨＥＰＡフィルタ１７の出口には平面図（ｄ）に示すように吹き出し用のパンチングメタル板１９が配置されており、このパンチングメタル板１９はＨＥＰＡフィルタ１７の交換のため、取り外しが可能になっている。また（ａ）〜（ｃ）に示される斜線部分の部材は各ユニットの外側に貼り付けた断熱材７５を示している。
【００１３】
図３に例示するように、フィルタユニット１０は天井壁２２と側壁２０とからなる外壁で囲まれている。側壁２０に隣接する側壁２１を構成する側板の側端部は折り曲げられており、この折り曲げ部分と、側壁２０を構成する側板とが、ビス２３によって結合されており、このビス２３の頭の部分は側壁２０から外側に突出しており、第１の突出物２５を形成している。また、側壁２０を構成する側板の上端部は折り曲げられており、この折り曲げ部分と隣接する天井壁２２を構成する天井板とが、ビス２４によって結合されている。
【００１４】
また、図３ではフィルタユニット１０（又はファンフィルタユニット１１）の内部にファンを配置するためのフレームが側壁２０と、その反対側にある側壁との間に設けられており、当該フレームは側壁２０に複数のビス２６によって固定されている。そして、このビス２６の頭の部分は側壁２０から外側に突出しており、第２の突出物２５を形成している。またフィルタユニット１０の内部にフィルタ１７を収納するためのフレームが側壁２０と、その反対側にある側壁との間に設けられており、当該フレームは側壁２０に複数のビス（図示していない）によって固定されている。そして、これらのビスの頭の部分は側壁２０から外側に突出しており、第２の突出物を形成している。またフィルタユニット１０の通風口２８とフィルタユニット１０’（又はフィルタユニット１２）の通風口２８’とを連結して連通部を形成するため、フィルタユニット１０の内部にフランジ（図示していない）が設置されており、フィルタユニット１０’の内部にもフランジ８０’が設置されており、これら双方のフランジをパッキン８２、８２’を介して締め付けることで通風部を形成することが可能となっている。
【００１５】
このように、図３にはフィルタユニット１０の側壁２０の外側に２種類の突出物２５を有しており、フィルタユニット１０’の外側に２種類の突出物２５’を有しており、これら双方の側壁２０、２０’の間にスペーサ材３５を配した状態で、さらに双方の側壁２０、２０’においてスペーサ材３５の位置を除いた部分に断熱材４０、４０’を配置した状態で、双方の側壁２０、２０’を連結する組立て図が示されている。また、連結後の断面図が図２に示されている。
【００１６】
図２の（Ａ）図は図１のＡ部分の拡大断面図であり、（Ｂ）図は図１のＢ部分の拡大断面図であり、（Ｃ）図は図１のＣ部分の拡大断面図であり、（Ｄ）図は図１のＤ部分の拡大断面図である。（Ａ）図は図３の説明の中の、第１の突出物２５の周辺の断面を示す図であるが、第２の突出物２５の周辺の断面を示す図ともいえる。（Ａ）図では、双方の側壁２０、２０’の外側にビスの頭による突出物２５、２５’が突出しており、隣接する二つのフィルタユニット１０、１０’は、双方の側壁２０、２０’の間にスペーサ材３５（３０及び３０’）が配された状態で、双方の側壁２０、２０’を連結する連結子５０によって連結されており、前記スペーサ材３５の厚さは、当該スペーサ材３５を配せずに双方の側壁２０、２０’を当接させようとした時の双方の側壁間の最短距離以上となっている。
【００１７】
また、スペーサ材３０及び３０’の位置を除いた部分に断熱材４０、４０’が各側壁２０、２０’の外側に貼り付けられており、双方の側壁２０、２０’の間で生じる結露水の発生を防止している。なお当該断熱材は側壁２０、２０’の一方の側壁の外側にのみ配置されることも、双方の側壁２０、２０’の外側に配置されることも可能であるが、フィルタユニットの連結構造体を形成するには、同じ規格のフィルタユニットを複数連結することが製造上、または組み付け上好ましく、そのため図２（Ａ）及び図３に例示するように、双方の側壁２０、２０’の互いに向かい合う位置に突き合わせるように配置する断熱材４０、４０’であることが好ましい。また断熱材４０、４０’の高さも同じ高さであることが好ましい。さらに双方の側壁２０、２０’の下端部は、結露水が生じた場合に備えて、コーキング６０が施されている。本発明では従来技術の図７（Ａ）図に示すコーキング１６０と比較して、スペーサ材３５の厚さ分の広いコーキング部分を確保できるので、コーキングを確実に行うことが可能である。従来技術によれば、コーキング部分の巾が狭いため、コーキングを確実に行うことに困難性があった。また、断熱材７０、７０’が各側壁２０、２０’の内側に貼り付けられており、各側壁２０、２０’の外側で生じる結露水の発生を防止すると共に吸音機能を有している。また（Ａ）図では、フィルタユニット１０、１０’の下部に、フィルタ１７からの気流が室内に流入するための吹き出し用のパンチングメタル板１９、１９’が配置されており、このパンチングメタル板１９、１９’はＨＥＰＡフィルタ１７の交換のため、取り外しが可能になっている。
【００１８】
前記突出物は、側壁２０、２０’の少なくとも一方の側壁の外側に突出する突出物である限り、特に限定されることはなく、例えばフィルタユニットの外壁の形成または内部の構造物を形成する上で生じるビス、ボルトなどの突出物や側壁２０と側壁２１の接合のための折り曲げ部分などによる突出物を挙げることができる。また、一方の側壁の外側にのみ突出する突出物、双方の側壁の外側に突出する突出物、または双方の側壁の外側に突出する突出物の少なくとも一部が重なってできる突出物を挙げることができる。なお、フィルタユニットの連結構造体を形成するには、同じ規格のフィルタユニットを複数連結することが製造上、または組み付け上好ましく、そのため双方の側壁の互いに向かい合う位置に突き合わせるように突出する面対称形状の突出物であることが好ましい。
【００１９】
前記突出物１個の高さとしては、０．８〜１９ｍｍが適用可能であり、１．９〜１９ｍｍであればより実用的であり、１．９〜１５ｍｍであれば更に実用的である。例えば側壁２０と側壁２１の接合のための折り曲げ部分などによる突出物は１ｍｍ以上となることがあり、リベットの頭による突出物は０．８〜１．９ｍｍとなることがあり、ビスやボルトの頭であれば１．９〜１５ｍｍとなることがある。高さが１９ｍｍを超えると、スペーサの高さも高くする必要があり、またその上に貼る断熱材がその部分だけ膨らみ過ぎて双方の側壁２０、２０’の連結が困難になる場合がある。また双方の側壁２０、２０’の間に配置する結露防止用の断熱材の量が多くなり、設置費用が大きくなり過ぎる場合がある。
【００２０】
前記スペーサ材は、双方の側壁２０、２０’の間に配置可能であり、またその厚さが、当該スペーサ材を配せずに双方の側壁２０、２０’を当接させようとした時の双方の側壁間の最短距離以上である限り、特に限定されることはなく、ブロック状または板状のものが挙げられる。また配置場所にもよるが、図２（Ａ）に例示するように、スペーサ材に連結子５０が貫通する穴が開けられていることも好ましい。また連結子５０による連結時に変形しないような剛性のある金属または樹脂などであることが好ましい。またスペーサ材の配置方法としては、スペーサ材を接着剤で一方の側壁２０または双方の側壁２０、２０’に接着する方法、またはスペーサ材をビスやボルトなどでその先端が突出しないようにして側壁に固定する方法などを挙げることができる。
【００２１】
また前記スペーサ材は、側壁２０、２０’の一方の側壁の外側にのみ配置されることも、双方の側壁２０、２０’の外側に配置されることも可能であるが、フィルタユニットの連結構造体を形成するには、同じ規格のフィルタユニットを複数連結することが製造上、または組み付け上好ましく、そのため図２（Ａ）に例示するように、双方の側壁２０、２０’の互いに向かい合う位置に突き合わせるように配置する面対称形状のスペーサ材３０、３０’であることが好ましい。またスペーサ材３０、３０’の高さも同じ高さであることが好ましい。
【００２２】
本発明では、前記スペーサ材３５の厚さは、当該スペーサ材３５を配せずに双方の側壁２０、２０’を当接させようとした時の双方の側壁間の最短距離以上となっている。ここで、スペーサ材３５の厚さとは、スペーサ材が側壁２０、２０’の一方の側壁の外側にのみ配置される場合は、当該スペーサ材の厚さのことを言い、双方の側壁２０、２０’の外側にそれぞれ配置される場合は、双方の側壁２０、２０’を当接させようとした時に重なり合った状態の２つのスペーサ材の厚さの合計を言う。
【００２３】
前記スペーサ材３５の厚さは、具体的には、突出物の高さにもよるが、２〜２０ｍｍであることが好ましく、４〜２０ｍｍであることがより好ましく、４〜１６ｍｍであることが更に好ましい。またスペーサの大きさとしては、スペーサが多角形の場合は最大対角線の長さが１０〜１００ｍｍであることが好ましく、２５〜６０ｍｍであることがより好ましい。また円形又は楕円形の場合は最大径が１０〜５０ｍｍであることが好ましく、１５〜３０ｍｍであることがより好ましい。
【００２４】
また、双方の側壁２０、２０’を当接させようとした時の双方の側壁間の最短距離とは、双方の側壁２０、２０’を当接させる前の状態から徐々に当接させるように近づけていった結果、当接した時の距離を言う。また様々な形態や高さの突出物が存在する場合は、この定義によれば、一方の側壁２０のある突出物２５と他方の側壁２０’とが当接した時の双方の側壁間の距離、他方の側壁２０’のある突出物２５’と一方の側壁２０とが当接した時の双方の側壁間の距離、あるいは一方の側壁２０のある突出物２５と他方の側壁２０’のある突出物２５’とが当接した時の側壁間の距離のうち最も長い距離となる。このように、本発明では、前記スペーサ材３５の厚さが、当該スペーサ材３５を配せずに双方の側壁２０、２０’を当接させようとした時の双方の側壁間の最短距離以上となっているので、双方の側壁２０、２０’の距離を所定の値に定めることができる。
【００２５】
前記連結子は、双方の側壁２０、２０’の間にスペーサ材３５を配した状態で、双方の側壁２０、２０’を連結することが可能である限り、特に限定されることはなく、図２に例示するように、ボルトとナット又はそれらに類似したものからなる連結子５０などを採用することが可能である。図２では中央部に穴が開けられたスペーサ材３０、３０’が重ねられた状態で、この穴の中に連結子５０が貫通するようにして、双方の側壁２０、２０’が連結している。その結果、隣接する二つのフィルタユニット１０、１０’が連結している。
【００２６】
図２（Ｃ）及び（Ｄ）は、それぞれ図１のＣ部分及びＤ部分の拡大断面図である。また図４はこの部分の組立て斜視図を示している。この部分では、前述のようにファンフィルタユニット１１の通風口２８とフィルタユニット１２の通風口２８’とが連結した連通部を形成しており、ファンフィルタユニット１１で生じた気流がこの連通部を介して隣接するフィルタユニット１２に流れ込むようになっている。またフィルタユニット１０の通風口２８の周囲にフランジ８０（図示していない）が配置され、このフランジ８０はブラケット８４（図示していない）によって側壁２０に固定されることで、通風口２８の周囲を補強している。同様に、フィルタユニット１０’の通風口２８’の周囲にフランジ８０’が配置され、このフランジ８０’はブラケット８４’によって側壁２０’に固定されることで、通風口２８’の周囲を補強している。
【００２７】
この連通部では、このフランジ８０、８０’の周囲の４隅にはスペーサ材３０、３０’が配置されており、具体的にはスペーサ材３０、３０’が双方の側壁２０、２０’にフランジ８０、８０’のブラケット８４、８４’と共にビス止めされており、双方の側壁２０、２０’の間隔を所定の巾に保っている。またフランジ８０、８０’が固定されている通風口２８、２８’の間には、２個のパッキン８２、８２’と、これらパッキンの中央に金属などからなる剛性板８１が配置されており、これらのフランジ８０、８０’、通風口２８、２８’、パッキン８２、８２’及び剛性板８１はそれぞれ第２の連結子８３が貫通するように穴８５が開けられている。そして、第２の連結子８３をこれらの穴に挿入して、フランジ８０、８０’の外側から第２の連結子８３によって通風口２８、２８’の間を締め付けることによって、ファンフィルタユニット１１とフィルタユニット１２とを連結すると共に、パッキン８２、８２’の作用により通風口２８、２８’間の気密が確実に保たれている。本願発明では、双方の側壁２０、２０’の間隔をスペーサ材３５によって所定の巾に保っているので、図２（Ｃ）、（Ｄ）の例では、厚みのあるパッキン８２、８２’を用いることが可能となりクッション効果に優れるため通風口２８、２８’間の気密性に優れるという利点がある。図７（Ｃ）及び（Ｄ）に示す従来技術によれば、双方の側壁１２０、１２０’同士を直接に連結するために、側壁１２０、１２０’の一部に歪みがある場合は、通風口１２８、１２８’間の気密性が保たれないという問題があった。
【００２８】
このように、本発明では、ファンフィルタユニット１１の通風口２８とフィルタユニット１２の通風口２８’とが連結した連通部において、各通風口２８、２８’の内側にフランジ８０、８０’を配置し、各通風口２８、２８’の間には、２個のパッキン８２、８２’と、これらパッキンの中央に剛性板８１を配置して、第２の連結子８３によってフランジ８０、８０’の間隔を狭めるようにして、通風口２８、２８’の間を締め付けることによって、ファンフィルタユニット１１とフィルタユニット１２とを連結することが好ましい。
【００２９】
前記パッキン８２、８２’及び剛性板８１の形状は図４に例示するように、フランジ８０、８０’の形状に適合するように、リング状または角リング状であることが好ましい。またパッキン８２、８２’の材質としては、ニトリルゴム、シリコンゴム、フッ素ゴムなどを採用することが可能である。また、第２の連結子８３は図２（Ｃ）及び（Ｄ）に例示するように、ボルトとナット又はそれらに類似したものからなる連結子８３などを採用することが可能である。
【００３０】
図２（Ｃ）では、図２（Ａ）と同様に、スペーサ材３０及び３０’の位置を除いた部分に発泡ポリエチレンなどからなる断熱材４０、４０’が各側壁２０、２０’の外側に貼り付けられており、双方の側壁２０、２０’の間で生じる結露水の発生を防止している。また、グラスウールなどからなる断熱材７０、７０’が各側壁２０、２０’の内側に貼り付けられており、各側壁２０、２０’の外側で生じる結露水の発生を防止すると共に吸音機能を有している。また図２（Ｄ）では、グラスウールなどからなる断熱材７２、７２’が天井壁２２、２２’の内側に貼り付けられており、各天井壁２２、２２’の外側で生じる結露水の発生を防止すると共に吸音機能を有している。
【００３１】
図２（Ｂ）は、図１のＢ部分の拡大断面図であり、フィルタユニット１０の端部またはフィルタユニットの連結構造体の端部の態様を例示している。フィルタユニットの側壁２０の外側の下端部に、断面Ｌ字形のパネル枠９０の一端が、第２のスペーサ材３１を介してビス９１によって取り付けられており、当該パネル枠９０の他端は天井ボード９２に当接している。また第２のスペーサ材３１の位置を除いた部分に発泡ポリエチレンなどからなる断熱材４０が側壁２０の外側に貼り付けられており、側壁２０と外気の接触による結露水の発生を防止している。またパネル枠９０の内壁に発泡ポリエチレンなどからなる断熱材７３が取り付けられており、断熱材７３と天井ボード９２の間にも発泡ポリエチレンなどからなる断熱材７４が取り付けられている。またグラスウールなどからなる断熱材７０が側壁２０の内側に貼り付けられており、側壁２０の外側で生じる結露水の発生を防止すると共に吸音機能を有している。またフィルタユニット１０の底板２９の内側にもグラスウールなどからなる断熱材７１が貼り付けられており、底板２９の外側で生じる結露水の発生を防止すると共に吸音機能を有している。なお底板２９はファンのメンテナンスのため開閉可能になっている。
【００３２】
図１に例示するフィルタユニットの連結構造体の据付方法の一例を説明すると、まず８個のファンフィルタユニット１１と、ＨＥＰＡフィルタ１７のみが収納された２個のフィルタユニット１２と、２個の無影灯支持部材貫通用ユニット１３とを準備して、それぞれのユニットには内部の装置を装備しておくと共に各種断熱材を取り付けておく。次いで、最初のユニットを天井裏のフレームに吊り下げておき、そのユニットに隣接するユニットを天井裏のフレームに吊り下げるとともに最初のユニットと前記連結子５０によって連結する。このような方法により順次１２個のユニットを連結した後に、パネル枠９０を天井ボード９２に当接するように各ユニットの下端部に取り付ける。
【００３３】
本発明では、フィルタユニットの大きさについては特に限定されないが、図１に示すフィルタユニットの連結構造体の場合、ファンフィルタユニット１１の長さが８００〜２５００ｍｍであることが好ましく、８００〜２０００ｍｍであることがより好ましい。なおファンを内蔵しないフィルタユニット１２であれば、長さが３００〜１５００ｍｍであることが好ましく、４００〜１３００ｍｍであることがより好ましい。また、巾は３００〜１５００ｍｍであることが好ましく、４００〜１３００ｍｍであることがより好ましい。また高さは２００〜８００ｍｍであることが好ましく、３００〜８００ｍｍであることがより好ましい。
【００３４】
本発明のフィルタユニットの連結構造体を構成する側壁２０、２０’や天井壁２２、底板２９としては、溶接ができない材質や溶接時に作業環境を悪くする材質のものでも適用可能であり、各種の金属板又は樹脂板などを使用することができる。この中でも、金属板であれば折り曲げ加工も容易であり好ましい。また金属板としては、錆びない金属やメッキ加工をしたものが好ましく、加工性や材料費を考慮すると溶融亜鉛メッキ鋼板であることが好ましい。また溶融亜鉛メッキ鋼板の中でもアルミ比率の比較的低い日新製鋼（株）製の「ＺＡＭ」（亜鉛主体に、アルミニウム６％とマグネシウム３％とからなるメッキ層を有する溶融亜鉛メッキ鋼板）や新日本製鐵製の「スーパーダイマ」（亜鉛主体に、アルミニウム１１％とマグネシウム３％と珪素０．２％とからなるメッキ層を有する溶融亜鉛メッキ鋼板）であれば、より耐蝕性に優れるのでより好ましい材料といえる。また、スペーサ材又は剛性板としては、金属又は樹脂板などを使用することができるが、金属板であれば折り曲げ加工も容易であり好ましい。また金属板としては、錆びない金属やメッキ加工をしたものが好ましく、アルミニウム、鉄、ステンレスなどを使用することができる。また断熱材としては、グラスウール、発泡ポリエチレン、発泡ポリウレタンなどを使用することができるが、この中でも内装用としては吸音性能に優れるグラスウールが好ましく、外装用としては断熱性能に優れる発泡ポリエチレンが好ましい。またパッキンとしては、ゴムシート、テフロン（登録商標）製のシートなどを使用することができるが、この中でもゴムシートであることが好ましい。
【００３５】
図１では、一例として８個のファンフィルタユニット１１と、２個のフィルタユニット１２と、２個の無影灯支持部材貫通用ユニット１３からなるフィルタユニットの連結構造体を示したが、フィルタユニットの数が複数であればその数は特に限定されず、本発明が適用される範囲である。また必ずしも、ファンフィルタユニットが含まれる必要はなく、図５に例示するようにフィルタユニット１２のみから連結構造体が構成されることも可能である。図５の（ａ）は連結構造体の平面図であり、（ｂ）は立面図である。図５では、フィルタ１７のみが収納された６個のフィルタユニット１２が連結して天井に配置されており、室内の床に据え付けられたファンコイルユニット９４にファン１５と直膨式コイル９３が内蔵されていて、当該ファンコイルユニット９４によって調整された空気がダクト９５によって、連結構造体を構成するフィルタユニット１２に供給されるようになっている。また図５では連結構造体に隣接して無影灯の支持部材が貫通するように配置された無影灯支持部材貫通用パネル１４が２個配置されている。
【符号の説明】
【００３６】
１０、１０’  フィルタユニット
１１  ファンフィルタユニット
１２  フィルタユニット
１３  無影灯支持部材貫通用ユニット
１４  無影灯支持部材貫通用パネル
１５  ファン
１７  フィルタ、ＨＥＰＡフィルタ
１８  拡散室
１９  パンチングメタル板
２０、２０’  側壁
２１  側壁
２２  天井壁
２３、２４  ビス
２５、２５’  突出物
２６、２７  ビス
２８、２８’  通風口
２９  底板
３０、３０’、３５  スペーサ材
３１  第２のスペーサ材
４０、４０’  断熱材
５０  連結子
６０  コーキング
７０、７０’、７１、７２、７２’、７３、７４、７５  断熱材
８０、８０’  フランジ
８１  剛性板
８２、８２’  パッキン
８３  第２の連結子
８４、８４’  ブラケット
８５  穴
９０  パネル枠
９１  ビス
９２  天井ボード
９３  直膨式コイル
９４  ファンコイルユニット
９５  ダクト
１１０、１１０’  フィルタユニット
１２０、１２０’  側壁
１２８、１２８’  通風口
１５０  連結子
１６０  コーキング
１７５  断熱材
【図１】
2014061507.tif 000003
【図２】
2014061507.tif 000004
【図３】
2014061507.tif 000005
【図４】
2014061507.tif 000006
【図５】
2014061507.tif 000007
【図６】
2014061507.tif 000008
【図７】
2014061507.tif 000009